(57)【特許請求の範囲】
【請求項１】
管理情報を記憶する複数の通信装置を監視・制御する複数の機器管理装置であって、各機器管理装置が異なる通信装置をネットワークを介して接続する複数の機器管理装置と、
上記複数の機器管理装置と複数の通信装置との接続関係を記憶するディレクトリ装置とを備えたネットワーク管理システムにおいて、
上記複数の機器管理装置の各機器管理装置は、
通信装置とこの通信装置と接続する機器管理装置との接続関係を取得する取得要求を上記ディレクトリ装置に送信し、送信した取得要求に対応する接続関係を上記ディレクトリ装置から受信するディレクトリクライアントと、
上記ディレクトリクライアントが受信した接続関係から上記通信装置と接続する機器管理装置を特定し、特定した機器管理装置へ、上記管理情報の取得を要求する操作を識別する受信操作識別子を含む管理情報収集要求を送信する機器管理エージェントとを備え、
上記複数の機器管理装置のうち上記管理情報収集要求を受信した機器管理装置は、
上記受信操作識別子を含む管理情報収集要求を受信し、受信した管理情報収集要求を通信装置へ送信する操作を識別する送信操作識別子を、受信した管理情報収集要求に含め、送信操作識別子を含む管理情報収集要求を上記通信装置へ送信する機器管理マネージャと、
受信操作識別子と、機器管理装置のアドレスと、送信操作識別子とを対応させて記憶する管理履歴情報ベースとを備え、
上記機器管理マネージャは、送信操作識別子を含む管理情報収集要求を上記通信装置へ送信する際、受信した管理情報収集要求に含まれた受信操作識別子と、上記受信操作識別子を含む管理情報収集要求を送信した機器管理装置のアドレスと、送信した管理情報収集要求に含めた送信操作識別子とを対応させて上記管理履歴情報ベースに記憶し、
上記機器管理マネージャは、送信した上記送信操作識別子を含む管理情報収集要求に対して、上記通信装置から上記送信操作識別子を含む管理情報収集応答を上記ネットワークを介して受信し、受信した上記管理情報収集応答に含まれた送信操作識別子に対応する受信操作識別子と機器管理装置のアドレスとを上記管理履歴情報ベースから取得し、取得した受信操作識別子を管理情報収集応答に含め、受信操作識別子を含む管理情報収集応答を、取得した機器管理装置のアドレスへ送信する
ことを特徴とするネットワーク管理システム。
【請求項２】
上記ネットワーク管理システムは、さらに、
上記複数の機器管理装置を接続し、上記複数の機器管理装置のうちいずれか１つの機器管理装置へ上記取得要求を送信するネットワーク管理装置を備え、
上記ディレクトリクライアントは、上記ネットワーク管理装置から上記取得要求を受信し、
上記機器管理エージェントは、上記受信操作識別子を含む管理情報収集応答を受信し、受信した上記受信操作識別子を含む管理情報収集応答を上記ネットワーク管理装置へ送信する
ことを特徴とする請求項１記載のネットワーク管理システム。
【請求項３】
上記各機器管理装置は、さらに、
上記機器管理装置のアドレスと、上記機器管理装置が接続する通信装置のアドレスとを上記接続関係として上記ディレクトリ装置へ送信する関係登録部を備え、
上記ディレクトリ装置は、
上記接続関係を記憶するディレクトリ情報ベースと、
上記関係登録部から上記接続関係を受信し、受信した接続関係を上記ディレクトリ情報ベースへ格納するディレクトリサーバと
を備えたことを特徴とする請求項１または２のいずれかに記載のネットワーク管理システム。
【請求項４】
上記ディレクトリ装置は、さらに、
上記接続関係を記憶するディレクトリ情報ベースと、
上記各機器管理装置が接続可能な通信装置の上限数をあらかじめ格納する通信装置情報テーブルと、
機器管理装置により監視・制御する通信装置の数である通信装置数を入力するとともに、通信装置のアドレスを上記通信装置数に対応して入力するオペレータ入出力部と、
上記オペレータ入出力部が入力した通信装置数と、上記通信装置情報テーブルに格納された上記各機器管理装置が接続可能な通信装置の上限数とから、各機器管理装置に割り当てられる通信機器の割り当て数を求め、求めた各機器管理装置に割り当てられる通信機器の割り当て数に応じて、上記オペレータ入出力部が入力した通信装置のアドレスを、各機器管理装置に割り当てて、複数の機器管理装置と複数の通信装置との接続関係を定義し、定義した複数の機器管理装置と複数の通信装置との接続関係を上記ディレクトリ情報ベースに記憶する数量制御部と
を備えることを特徴とする請求項１または２のいずれかに記載のネットワーク管理システム。
【請求項５】
上記ディレクトリ情報ベースは、さらに、上記接続関係として、機器管理装置が配置されている所在地を含む接続関係を記憶し、
上記オペレータ入出力部は、上記通信装置のアドレスとともに通信装置の所在地を入力し、
上記ディレクトリ装置は、さらに、
上記オペレータ入出力部が入力した通信装置のアドレスを、上記数量制御部により各機器管理装置に割り当てる際に、上記ディレクトリ情報ベースに格納されている所在地と、上記オペレータ入出力部が入力した通信装置の所在地とが同一である通信装置のアドレスを、所在地が同一である機器管理装置に優先して割り当てることを制御するエリア制御部
を備えることを特徴とする請求項４記載のネットワーク管理システム。
【発明の詳細な説明】
【０００１】
【発明の属する技術分野】
この発明は、ネットワーク装置を監視・制御するネットワーク管理システム及び方法に関するものである。
【０００２】
【従来の技術】
図２５は、例えば、ＣＣＩＴＴ（現ＩＴＵ−Ｔ）のＭ．３０１０“Ｐｒｉｎｃｉｐｌｅｓ  ｆｏｒ  ａ  Ｔｅｌｅｃｏｍｍｕｎｉｃａｔｉｏｎｓ  Ｍａｎａｇｅｍｅｎｔ  Ｎｅｔｗｏｒｋ”勧告の図１１／Ｍ．３０１０に示されたネットワーク管理モデルに基づく従来のネットワーク管理モデルの一例を示す図である。
図２５のネットワーク管理モデルは、ネットワーク全体を管理するネットワーク管理装置（２１０）と、ネットワーク管理装置（２１０）から管理されると共に、ネットワーク機器（ネットワーク機器は、通信装置を含む）を管理する機器管理装置（２２０）、及び通信装置（２３０ａ〜２３０ｃ）から構成される。
【０００３】
ネットワーク管理装置（２１０）は、ネットワーク全体の管理を行うプログラムであるマネージャＡ（２１１）が存在する。
機器管理装置（２２０）は、管理情報を制御（収集・蓄積・更新・生成・削除等）するプログラムであるエージェントＢ（２２１）と、管理情報を格納する管理情報ベースＢ（２２２）、及び通信装置を含むネットワーク機器の管理を行うプログラムであるマネージャＢ（２２３）が存在する。
【０００４】
通信装置（２３０ａ〜２３０ｃ）は、管理情報を制御するプログラムであるエージェントＣ（２１３ａ〜２３１ｃ）と、管理情報を格納する管理情報ベースＣ（２３２ａ〜２３２ｃ）が存在する。
管理情報は、ネットワーク全体又はネットワーク機器を管理する情報を含む。
マネージャＡ（２１１）は、エージェントＢ（２２１）と所定の通信プロトコルを使って通信する。マネージャＡ（２１１）は、エージェントＢ（２２１）を介して管理情報ベース（２２２）にアクセスする。
このようにして、マネージャＡ（２１１）は、管理情報ベース（２２２）に格納された管理情報を収集・設定・生成・削除する。
【０００５】
次に、動作について説明する。
通信装置（２３０ａ〜２３０ｃ）のエージェントＣ（２３１ａ〜２３１ｃ）は、通信トラヒック量などの管理情報を常に管理情報ベースＣ（２３２ａ〜２３２ｃ）に蓄積・更新している。
また、機器管理装置（２２０）のエージェントＢ（２２１）は、機器管理装置（２２０）に関する管理情報を常に管理情報ベースＢ（２２２）に蓄積・更新している。
【０００６】
まず、ネットワーク管理装置（２１０）を使用するオペレータ（人間）が、マネージャＡ（２１１）に通信装置（２３０ａ〜２３０ｃ）の管理情報の収集を要求する。マネージャＡ（２１１）は、要求を受け付け、機器管理装置（２２０）のエージェントＢ（２２１）に対して、通信装置（２３０ａ〜２３０ｃ）の管理情報収集要求を送信する。
エージェントＢ（２２１）は、マネージャＢ（２２２）を介して、通信装置（２３０ａ〜２３０ｃ）に対して、通信装置（２３０ａ〜２３０ｃ）の管理情報収集要求を送信する。
通信装置（２３０ａ〜２３０ｃ）のエージェントＣ（２３１ａ〜２３１ｃ）は、マネージャＢ（２２３）から受信した管理情報収集要求を解析し、管理情報ベースＣ（２３２ａ〜２３２ｃ）を検索して、要求された管理情報を取り出す。取り出した管理情報を管理情報収集応答としてマネージャＢ（２３２）へ送信する。
【０００７】
マネージャＢ（２２３）は、エージェントＣ（２３１ａ〜２３１ｃ）から管理情報収集応答を受信し、受信した管理情報収集応答をエージェントＢ（２３２ａ〜２３２ｃ）を介して、マネージャＡ（２１１）に送信する。
マネージャＡ（２１１）は、エージェントＢ（２２１）から管理情報収集応答を受信し、受信した管理情報収集応答をネットワーク管理装置（２１０）のオペレータに伝える。
【０００８】
エージェントＣ（２３１ａ〜２３１ｃ）が通信装置（２３０ａ〜２３０ｃ）の障害を検出した場合は、エージェントＣ（２３１ａ〜２３１ｃ）は、マネージャＢ（２２３）に警報を送信する。
マネージャＢ（２２３）は、エージェントＣ（２３１ａ〜２３１ｃ）から警報を受信し、受信した警報をエージェントＢ（２２１）を介して、マネージャＡ（２１１）に送信する。
マネージャＡ（２１１）は、エージェントＢ（２２１）から警報を受信し、受信した警報をネットワーク管理装置（２１０）のオペレータに伝える。
【０００９】
同様にして、機器管理装置（２２０）のオペレータは、マネージャＢ（２２３）へ通信装置（２３０ａ〜２３０ｃ）の管理情報の収集を要求する。機器管理装置（２２０）のマネージャＢ（２２３）は、上記と同様に、エージェントＣ（２３１ａ〜２３１ｃ）を使って、通信装置（２３０ａ〜２３０ｃ）の管理情報を収集する。
このようにして、ネットワーク管理装置（２１０）と機器管理装置（２２０）は、通信装置（２３０ａ〜２３０ｃ）を監視・制御する。
【００１０】
【発明が解決しようとする課題】
従来のネットワーク管理装置（２１０）では、１台のネットワーク管理装置（２１０）は、１台以上の機器管理装置（２２０）と接続し、１台の機器管理装置（２２０）は、１台以上の通信装置（２３０ａ〜２３０ｃ）と接続する。従来のネットワーク管理装置（２１０）は、これらの接続によってネットワーク全体を管理する。
一般に、１台の機器管理装置（２２０）が管理可能な通信装置（２３０ａ〜２３０ｃ）の台数は、予めｘ台と決まっている。従って、通信装置（２３０ａ〜２３０ｃ）の台数が増加した場合（例えば、ｘ＋１台に増えた場合）は、機器管理装置（２２０）の台数を増やす必要がある。
また、機器管理装置（２２０）と通信装置（２３０ａ〜２３０ｃ）との接続関係は、固定的な関係であって、動的に変化するような関係ではない。
【００１１】
このとき、次のような課題がある。
課題１：ネットワーク管理装置は、ネットワーク管理装置と増設された機器管理装置との通信路を新設しなければならない。その上、ネットワーク管理装置は、現状の通信装置と機器管理装置との接続関係を保持した上で、増設された機器管理装置と接続しなければならない。従って、ネットワーク管理装置の処理が複雑になる。
課題２：機器管理装置を増設するとき、次のことを検討する必要が生じる。
（１）機器管理装置の処理負荷、
（２）機器管理装置と通信装置との接続距離を考慮すること、
（３）機器管理装置と通信装置との接続関係を再検討し、再設定すること、等。
従って、機器管理装置と通信装置とを接続する作業が煩雑になる。
【００１２】
この発明は、上記のような問題点を解決するためになされたもので、複数の機器管理装置があたかも１台のネットワーク管理装置のように振る舞うことによって、ネットワーク管理装置が任意の機器管理装置に接続しても、任意の通信装置を監視・制御できることを目的とする。
【００１３】
【課題を解決するための手段】
この発明に係るネットワーク管理システムは、ネットワークを介して通信を行う複数の通信装置と、
ネットワークを介して上記複数の通信装置のいずれかと接続し、接続する通信装置を監視・制御する機器管理装置と、
上記複数の通信装置と上記機器管理装置との接続関係を管理するディレクトリ装置と
を備え、
上記機器管理装置は、
上記接続関係を取得する取得要求を送信し、送信した取得要求に対応する接続関係を受信するディレクトリクライアントを備え、
上記ディレクトリ装置は、
上記接続関係を格納するディレクトリ情報ベースと、
上記取得要求を上記ディレクトリクライアントから受信し、上記ディレクトリ情報ベースを検索することによって、受信した上記取得要求に対応する接続関係を検出し、検出した接続関係を上記ディレクトリクライアントへ送信するディレクトリサーバと
を備えることを特徴とする。
【００１４】
上記ネットワーク管理システムは、さらに、
上記複数の通信装置と上記機器管理装置とを管理し、上記取得要求を送信するネットワーク管理装置を備え、
上記ディレクトリクライアントは、上記ネットワーク管理装置から上記取得要求を受信し、受信した上記取得要求を上記ディレクトリサーバへ送信し、送信した上記取得要求に対応する接続関係を上記ディレクトリサーバから受信し、受信した接続関係を上記ネットワーク管理装置へ送信することを特徴とする。
【００１５】
上記ネットワーク管理システムは、複数の機器管理装置を備え、
上記ディレクトリ情報ベースは、複数の機器管理装置それぞれと接続する複数の通信装置との接続関係を格納し、
一の機器管理装置に備えられるディレクトリクライアントは、他の機器管理装置と上記複数の通信装置のいずれかとの接続関係を取得する取得要求を上記ディレクトリサーバへ送信し、送信した取得要求に対応する接続関係を上記ディレクトリサーバから受信することを特徴とする。
【００１６】
上記ディレクトリ装置は、上記接続関係の入力を受けつける入力部を備え、
上記ディレクトリサーバは、上記入力部が受けつけた接続関係を入力し、入力した接続関係を上記ディレクトリ情報ベースへ格納することを特徴とする。
【００１７】
上記機器管理装置は、さらに、
上記機器管理装置と上記複数の通信装置との接続関係を調査し、調査した接続関係を上記ディレクトリサーバへ送信する関係登録部を備え、
上記ディレクトリサーバは、上記関係登録部から上記接続関係を受信し、受信した接続関係を上記ディレクトリ情報ベースへ格納することを特徴とする。
【００１８】
上記ディレクトリ装置は、さらに、
機器管理装置が接続可能な通信装置の数と、上記機器管理装置に現在接続している通信装置の数とを格納する通信装置情報テーブルと、
上記通信装置情報テーブルに格納された機器管理装置が接続可能な通信装置の数と、上記機器管理装置に現在接続している通信装置の数とに基づいて、機器管理装置に接続する通信装置を定義する数量制御部と
を備えることを特徴とする。
【００１９】
上記ディレクトリ情報ベースは、さらに、通信装置が配置されている所在地を格納し、
上記ディレクトリ装置は、さらに、
上記通信装置情報テーブルに格納されている機器管理装置が接続可能な通信装置の数と、上記機器管理装置に現在接続している通信装置の数と、上記ディレクトリ情報ベースに格納されている所在地とに基づいて、機器管理装置に接続する通信装置を定義するエリア制御部を備えることを特徴とする。
【００２０】
上記機器管理装置は、さらに、
上記ディレクトリクライアントが受信した接続関係を入力し、入力した接続関係に基づいて、接続を確立する要求を上記複数の通信装置のいずれかへ送信する通信路制御部を備え、
上記複数の通信装置は、さらに、
上記通信路制御部から接続を確立する要求を受信し、受信した要求に基づいて、上記機器管理装置と接続を確立する通信エージェントを備えることを特徴とする。
【００２１】
上記ディレクトリ情報ベースは、さらに、上記複数の通信装置それぞれを認証する認証情報を上記複数の通信装置それぞれに対応して格納し、
上記ディレクトリサーバは、任意の通信装置に対応する認証情報を上記ディレクトリ情報ベースから検出し、
上記機器管理装置は、さらに、
任意の通信装置に対応する認証情報の取得する要求を上記ディレクトリサーバへ送信し、上記ディレクトリサーバから任意の通信装置に対応する認証情報を受信し、受信した認証情報に基づいて、上記任意の通信装置を認証する認証制御部を備えることを特徴とする。
【００２２】
上記ディレクトリ装置は、さらに、
上記ネットワーク管理装置を認証する認証情報を格納する認証情報ベースを備え、
上記ディレクトリサーバは、上記ネットワーク管理装置に対応する認証情報を上記認証情報ベースから検出し、
上記ディレクトリクライアントは、取得要求を上記ネットワーク管理装置から受信し、上記ネットワーク管理装置に対応する認証情報を取得する要求を上記ディレクトリサーバへ送信し、上記ディレクトリサーバから上記ネットワーク管理装置に対応する認証情報を受信し、受信した認証情報に基づいて、上記ネットワーク管理装置を認証することを特徴とする。
【００２３】
上記機器管理装置は、機器管理装置内の負荷状況を収集する負荷監視部を備え、
上記ディレクトリ装置は、さらに、
上記負荷監視部から負荷状況を収集し、収集した負荷状況に基づいて、機器管理装置に接続する通信装置を管理する負荷制御部を備えることを特徴とする。
【００２４】
上記機器管理装置は、さらに、
上記負荷監視部が収集した負荷状況が任意の閾値を超過したときに、警報を発生させる警報発生部を備えることを特徴とする。
【００２５】
この発明に係るディレクトリ装置は、複数の通信装置と、上記複数の通信装置を監視・制御する複数の機器管理装置とを接続する通信路を定義する接続関係を格納するディレクトリ情報ベースと、
上記接続関係の取得を要求する取得要求を受信し、上記ディレクトリ情報ベースを検索することによって、受信した上記取得要求に対応する接続関係を検出し、検出した接続関係を送信するディレクトリサーバと
を備えることを特徴とする。
【００２６】
上記ディレクトリ装置は、さらに、
上記接続関係の入力を受けつける入力部を備え、
上記ディレクトリサーバは、上記入力部が受けつけた接続関係を入力し、入力した接続関係を上記ディレクトリ情報ベースへ格納することを特徴とする。
【００２７】
この発明に係るネットワーク管理方法は、複数の通信装置と、ネットワークを介して上記複数の通信装置と接続し、接続する複数の通信装置を監視・制御する複数の機器管理装置を備えたネットワークシステムのネットワーク管理方法において、
上記複数の通信装置と上記複数の機器管理装置とを接続する通信路を定義する接続関係を格納し、
上記接続関係の取得を要求する取得要求を受信し、
上記ディレクトリ情報ベースを検索することによって、受信した上記取得要求に対応する接続関係を検出し、
検出した接続関係を送信することを特徴とする。
【００２８】
【発明の実施の形態】
実施の形態１．
図１は、この発明の実施の形態１の例を示す構成図である。
図１の構成例では、以下のような構成要素を含む。
ネットワーク管理装置（１）は、機器管理装置（２）と接続し、ネットワーク全体を監視・制御する計算機である。
機器管理装置（２）は、ネットワーク管理装置（１）と通信装置（３）とに接続し、通信装置（３）を監視・制御する計算機である。
通信装置（３）は、通信を行い、機器管理装置（２）によって監視・制御される。
ディレクトリ装置（４）は、機器管理装置（２）と通信装置（３）との接続関係を保管する計算機である。また、ディレクトリ装置（４）は、機器管理装置（２）と通信装置（３）との接続関係を管理する。接続関係は、機器管理装置（２）と通信装置（３）との接続を関連付ける情報（接続関係情報）である。
【００２９】
ネットワーク管理マネージャ（５０）は、ネットワーク全体（複数の通信装置（３）の接続状態と、通信装置（３）間の伝送路）の構成と性能、障害等を含む管理情報を管理する。
機器管理マネージャ（５ｂ，５ｃ）は、単体の通信装置（３）の内部の構成と性能、障害等を含む管理情報を管理する。
機器管理エージェント（６ｂ，６ｃ）は、通信装置（３）から収集した管理情報と、機器管理装置（２）自身の管理情報とを、ネットワーク管理装置（１）に送信する。
通信エージェント（３６ｄ〜３６ｆ）は、通信装置（３）の管理情報（通信量や入出力インタフェースの数など）を、機器管理装置（２）に送信する。
【００３０】
機器管理情報ベース（７）及び通信管理情報データベース（３７）は、管理情報を格納するデータベースである。
ディレクトリ・サーバ（８）は、ディレクトリ・クライアントからの問合せ・更新要求を処理するプログラムであって、ディレクトリ情報ベースにアクセスする。
ディレクトリ情報ベース（９）は、機器管理装置（２）と通信装置（３）との接続関係を保管するデータベースである。接続関係は、機器管理装置（２）と通信装置（３）との接続を対応付ける情報及び接続に付随する情報を含む。
オペレータ入出力部（入力部）（１０）は、オペレータがディレクトリ情報ベース（９）へアクセスするオペレータ・インタフェースを提供する。
ディレクトリ・クライアント（１１）は、ディレクトリ・サーバ（８）へアクセスするプログラムである。
管理情報履歴情報ベース（１２）は、機器管理装置（２）におけるネットワーク管理装置（１）または通信装置（３）との入出力の履歴を格納する。管理情報履歴情報ベース（１２）に格納する履歴を参照することによって、機器管理装置（２）は、処理中の要求等を把握することができる。
伝送路（１３）は、ネットワーク管理装置（１）、機器管理装置（２）、通信装置（３）、及びディレクトリ装置（４）とを接続する通信媒体である。
【００３１】
また、管理情報は、機器管理装置（２）と複数の通信装置（３）との接続状態、機器管理装置（２）と複数の通信装置（３）とを接続する伝送路の構成、通信装置（３）の構成情報、性能情報、障害情報等を含む。
上記機器管理装置（２）の機器管理マネージャ（５）が管理する管理情報は、通信装置（３）の種類に応じた構成情報、障害情報、性能情報を含む。
例えば、Ｍ社製の交換機に搭載されている基盤の数や種類、ＣＰＵ（Ｃｅｎｔｒａｌ  Ｐｒｏｃｅｓｓｉｎｇ  Ｕｎｉｔ）種別、メモリサイズ、交換機が接続している各電話機の番号、電話回線の種類や容量などが管理情報に含まれる。
【００３２】
また、ネットワーク管理装置（１）のネットワーク管理マネージャ（５０）が管理する管理情報は、通信装置（３）の種類に応じた管理情報は扱わない点が、上記機器管理マネージャ（５）が管理する管理情報と異なる。
また、図１の例では、ネットワーク管理マネージャ（５０）は、機器管理装置（２ａ）が管理する通信装置（３ｄ，３ｅ）の接続関係と、別の機器管理装置（２ｂ）が管理する通信装置（３ｆ）の接続関係を管理する。一方、機器管理マネージャ（５）は、自己の機器管理装置（２）に接続する通信装置（３）に関する管理情報を管理する。しかし、機器管理装置（２）は、原則として、他の機器管理装置（２）に接続する通信装置（３）の管理情報を管理しない点がネットワーク管理マネージャ（５０）と異なる。
以下の説明では、上記の差異を特に区別することなく、管理情報として説明する。
【００３３】
なお、以下の説明において、図１に示すように、複数の機器管理装置（２）それぞれを機器管理装置（２ｂ）、機器管理装置（２ｃ）、・・・として表す。機器管理装置（２）とした場合は、複数の機器管理装置（２ｂ，２ｃ，・・・）のいずれかあるいは総てを表す。機器管理マネージャ（５）、機器管理エージェント（６）、機器管理情報ベース（７）についても、同様である。
また、同様に、複数の通信装置（３）それぞれを、通信装置（３ｄ）、通信装置（３ｅ）、通信装置（３ｆ）・・・として表す。通信エージェント（３６）、通信管理情報ベース（３７）等についても、同様である。
【００３４】
次に、動作について説明する。
図１の構成を前提として説明する。
ネットワーク管理装置（１）は、機器管理装置（２ｂ）及び機器管理装置（２ｃ）と接続している。
機器管理装置（２ｂ）は、通信装置（３ｄ）及び通信装置（３ｅ）と接続し、通信装置（３ｄ）及び通信装置（３ｅ）を監視・管理している。
機器管理装置（２ｃ）は、通信装置（３ｆ）と接続し、通信装置（３ｆ）を監視・管理している。
【００３５】
ディレクトリ装置（４）のオペレータは、予め、図２に示すようなディレクトリ情報ベース（９）に格納される機器管理装置（２）と通信装置（３）との接続関係をオペレータ入出力部（１０）を介して入力する。ディレクトリ・サーバ（８）は、入力された機器管理装置（２）と通信装置（３）との接続関係をディレクトリ情報ベース（９）へ格納する。
図２において、「管理装置の名前またはアドレス」（１０１）は、機器管理装置（２）の名前またはアドレスを示し、「通信装置（３）の名前またはアドレス」（１０２）は、通信装置（３）の名前またはアドレスを示す。図２に示すように、ディレクトリ情報ベース（９）に格納される接続関係は、機器管理装置（２）と、機器管理装置（２）が監視・制御する通信装置（３）との対応関係を示している。
また、この明細書では、図１の構成との対応付けを容易にするため、「危機管理装置の名前またはアドレス」及び「通信装置の名前またはアドレス」は、構成要素の名称を用いて説明する。
【００３６】
また、図３は、この実施の形態において機器管理装置（２ｃ）の管理履歴ベース（１２）に格納される情報例を示す図である。
図３において、「受信操作識別子」（１０３）は、別の機器管理装置（２）から受信した管理操作に付随する操作識別子を示し、「発信元アドレス」（１０４）は、別の機器管理装置（３）のアドレスを示している。「送信操作識別子」（１０５）は、通信装置（３）に送信した管理操作に付随する操作識別子を示し、「宛先アドレス」（１０６）は、通信装置（３）のアドレスを示している。管理履歴ベースに格納される情報によって、機器管理装置（２）は、別の機器管理装置（２）から受信した管理操作が、どの通信装置（３）への管理操作にマッピングされたかを識別することができる。
【００３７】
ここで、「管理操作」は、ネットワーク管理装置（１）から機器管理装置（２）へ送信する通信メッセージであり、一例として、管理情報の取得や、管理情報の設定などを要求する通信メッセージがあげられる。
同様に、機器管理装置（２）から通信装置（３）へ送信する通信メッセージも「管理操作」としている。
また、「マッピング」は、ネットワーク管理装置（１）から機器管理装置（２）へ送信する管理操作Ａと、機器管理装置（２）から通信装置（３）へ送信する管理操作Ｂを関連付けることを意味する。この役割を実施するのが管理情報履歴情報ベース（１２）である。
【００３８】
例えば、ネットワーク管理装置（１）が通信装置（３ｄ）の管理情報を収集したいときは、次の手順を取る。
・まず、ネットワーク管理装置（１）から機器管理装置（２）に管理操作Ａを送信する。
・次に、機器管理装置（２ｂ）から通信装置（３ｄ）に管理操作Ｂを送信する。
・通信装置（３ｄ）から機器管理装置（２ｂ）に、管理操作Ｂの応答が返る。
・機器管理装置（２ｂ）からネットワーク管理装置（１）に、管理操作Ａの応答が返る。
その際に、機器管理装置（２ｂ）は、管理操作Ａと管理操作Ｂのマッピング（関連付け）を行う必要となる。複数の管理操作Ａと複数の管理操作Ｂを関連付けて、応答を返すことができなくなるからである。そこで、管理情報履歴情報ベース（１２）を用いて、マッピングを実現している。
【００３９】
図４は、この実施の形態１における動作シーケンスの一例を示す図である。
図を用いて、ネットワーク管理装置（１）が機器管理装置（２ｂ）を使って通信装置（３ｆ）を監視・制御する動作について説明する。
【００４０】
ネットワーク管理装置（１）のマネージャ（５０）は、機器管理装置（２ｂ）の機器管理エージェント（６ｂ）に、通信装置（３ｆ）の管理情報収集要求を送信する（ステップ２０１）。管理情報収集要求は、管理情報収集要求の対象となる装置を識別する装置識別子と、管理情報収集要求を識別する操作識別子とを含む通信メッセージである。管理情報収集要求は、要求を発信する装置内で生成される。
【００４１】
機器管理装置（２ｂ）の機器管理エージェント（６ｂ）は、ディレクトリ・クライアント（１１ｂ）に、通信装置（３ｆ）を監視・制御する管理装置の名前またはアドレスを問合わせる。
ディレクトリ・クライアント（１１ｂ）は、ディレクトリ装置（４）のディレクトリ・サーバ（８）に通信装置（３ｆ）の名前またはアドレスを問合わせる（ステップ２０２）。
【００４２】
ディレクトリ装置（４）のディレクトリ・サーバ（８）は、ディレクトリ情報ベース（９）を検索することによって、通信装置（３ｆ）の管理装置の名前またはアドレスを取得する。この例では、機器管理装置（２ｃ）の名前を取得する。
ディレクトリ装置（４）のディレクトリ・サーバ（８）は、通信装置（３ｆ）の管理装置の名前を機器管理装置（２ｂ）のディレクトリ・クライアント（１１ｂ）に送信する。
機器管理装置（２ｂ）のディレクトリ・クライアント（１１ｂ）は、機器管理エージェント（６ｂ）に通信装置（３ｆ）の管理装置の名前を伝える（ステップ２０３）。
【００４３】
機器管理装置（２ｂ）の機器管理エージェント（６ｂ）は、機器管理装置（２ｃ）の機器管理マネージャ（５ｃ）に通信装置（３ｆ）の管理情報収集要求を伝える（ステップ２０４）。
【００４４】
機器管理装置（２ｃ）の機器管理マネージャ（５ｃ）は、通信装置（３ｆ）に管理情報収集要求を送信する。同時に機器管理マネージャ（５ｃ）は、図３に示すように、管理履歴情報ベース（１２ｃ）に、機器管理エージェント（６ｂ）のアドレスと管理情報収集要求に付随する操作識別子（この例では、１０２）、及び通信装置（３ｆ）のアドレスと管理情報収集要求に含まれる操作識別子（この例では、２２３）を格納する（ステップ２０５）。
【００４５】
通信装置（３ｆ）は、機器管理マネージャ（５ｃ）から管理情報収集要求を受信し、受信した管理情報収集要求に対応して管理情報収集応答を生成し、生成した管理情報収集応答を機器管理マネージャ（５ｃ）へ送信する。
管理情報収集応答は、管理情報収集要求に対応する管理情報と管理情報収集要求に含まれる操作識別子とを含む通信メッセージである。管理情報収集応答は、応答を発信する装置によって生成される。
機器管理装置（２ｃ）の機器管理マネージャ（５ｃ）は、通信装置（３ｆ）から管理情報収集応答を受信する（ステップ２０６）。
【００４６】
機器管理装置（２ｃ）の機器管理マネージャ（５ｃ）は、受信した管理情報収集応答に含まれる操作識別子（この例では、２２３）をキーにして、管理履歴情報ベース（１２ｃ）を検索し、機器管理エージェント（６ｂ）のアドレスと操作識別子（この例では、１０２）を得る。
機器管理装置（２ｃ）の機器管理マネージャ（５ｃ）は、機器管理装置（２ｂ）の機器管理エージェント（６ｂ）に管理情報収集応答（この例では、操作識別子は１０２）を出力する（ステップ２０７）。
【００４７】
機器管理装置（２ｂ）の機器管理エージェント（６ｂ）は、ネットワーク管理装置（１）のネットワーク管理マネージャ（５０）に管理情報収集応答を送信する（ステップ２０８）。
図４に一例として示した動作では、ネットワーク管理装置（１）が機器管理装置（２ｂ）へ管理情報収集要求を送信する場合を説明したが、ネットワーク管理装置（１）が機器管理装置（２ｃ）、或いは、その他の機器管理装置（２）へ管理情報収集要求を送信する場合であっても同様に動作する。
【００４８】
このように、機器管理装置（２）にディレクトリ・クライアント（１１）を配置すると共に、ディレクトリ装置（４）を配置したので、ネットワーク管理装置（１）は任意の一つの機器管理装置（２）に接続するだけで、任意の通信装置（３）を監視・制御できる。
【００４９】
以上のように、通信ネットワークを構成する複数の通信装置（３）を監視・制御する機器管理装置（２）と、機器管理装置（２）を管理するネットワーク管理装置（１）から構成されるネットワーク管理システムにおいて、機器管理装置（２）と通信装置（３）の接続関係を保管するディレクトリ装置（４）を配置し、ディレクトリ装置に機器管理装置と通信装置の接続関係を保管するディレクトリ情報ベース（９）と、ディレクトリ情報ベースにアクセスするディレクトリ・サーバ（８）を備え、機器管理装置（２）にディレクトリ・クライアント（１１）と管理履歴情報ベース（１２）を備えることを特徴とする。
【００５０】
実施の形態２．
図５は、この発明の実施の形態２の一例を示す構成図である。
図５において、図１と同じ符号で示した構成要素は、実施の形態１と同様である。
関係登録部（１４）は、機器管理装置（２）と通信装置（３）の関係をディレクトリ・クライアント（１１）に伝える。機器管理装置（２ｂ）及び機器管理装置（２ｃ）それぞれは、関係登録部（１４ｂ）、関係登録部（１４ｃ）を備える。
【００５１】
次に、動作について説明する。
図６は、実施の形態２における動作シーケンスの一例を示す図である。
実施の形態２の動作について、図６を用いて説明する。
機器管理装置（２ｂ）及び機器管理装置（２ｃ）は、ディレクトリ装置（４）と接続している。
【００５２】
機器管理装置（２）では、機器管理マネージャ（５）と通信装置（３）との接続が完了すると、機器管理マネージャ（５）は、機器管理装置（２）と通信装置（３）との接続関係を関係登録部（１４）へ登録する（ステップ３０１）。
次に、関係登録部（１４）は、ディレクトリ・クライアント（１１）を介して、ディレクトリ装置（４）のディレクトリ・サーバ（８）へ機器管理装置（２）が監視・制御している通信装置（３）の名前またはアドレスのリストを送信する。ディレクトリ・サーバ（８）は、上記リストを受信し、受信したリストをディレクトリ情報ベース（９）に格納する（ステップ３０２）。
その結果、ディレクトリ装置（４）のディレクトリ情報ベース（９）には、図２に示すように、機器管理装置の名前またはアドレスと通信装置の名前またはアドレスの対応関係が格納される。
【００５３】
図５の構成の例では、機器管理装置（２ｂ）及び機器管理装置（２ｃ）において、以下のように登録が実施される。
機器管理装置（２ｂ）では、機器管理マネージャ（５ｂ）と、通信装置（３ｄ）及び通信装置（３ｅ）との接続が完了すると、機器管理マネージャ（５ｂ）は、機器管理装置（２ｂ）と、通信装置（３ｄ）及び通信装置（３ｅ）との接続関係を関係登録部（１４ｂ）に登録する（ステップ３０１）。
関係登録部（１４ｂ）は、ディレクトリ・クライアント（１１ｂ）を介して、ディレクトリ装置（４）のディレクトリ・サーバ（８）へ機器管理装置（２ｂ）が監視・制御している通信装置（３ｄ）、通信装置（３ｅ）の名前またはアドレスのリストを送信する。ディレクトリ・サーバ（８）は、受信したリストをディレクトリ情報ベース（９）に格納する（ステップ３０２）。
【００５４】
また、機器管理装置（２ｂ）同様に、機器管理装置（２ｃ）では、機器管理マネージャ（５ｃ）と通信装置（３ｆ）との接続が完了すると、機器管理マネージャ（５ｃ）は、機器管理装置（２ｃ）と、通信装置（３ｆ）との接続関係を関係登録部（１４ｃ）に登録する（ステップ３０１）。
関係登録部（１４ｃ）は、機器管理装置（２ｃ）が監視・制御している通信装置（３ｆ）の名前またはアドレスのリストをディレクトリ・クライアント（１１ｃ）を介して、ディレクトリ装置（４）のディレクトリ・サーバ（８）へ送信する。ディレクトリ・サーバ（８）は、受信したリストをディレクトリ情報ベース（９）に格納する（ステップ３０２）。
【００５５】
これ以降の動作（任意の通信装置（３）を監視・制御動作）は、実施の形態１のステップ２０１以降と同じである。
【００５６】
このように、機器管理装置（２）に関係登録部（１４）を配置したので、機器管理装置（２）と通信装置（３）との接続関係を人手を介さずにディレクトリ装置（４）に登録することができる。更に、ネットワーク管理装置（１）は、任意の一つの機器管理装置（２）に接続するだけで、任意の通信装置（３）を監視・制御できる。
【００５７】
以上のように、この実施の形態のネットワーク管理システムは、実施の形態１のネットワーク管理システムに加え、機器管理装置（２）に、機器管理装置（２）と通信装置（３）の接続関係をディレクトリ・クライアント（１１）に伝える関係登録部（１４）を備えることを特徴とする。
【００５８】
実施の形態３．
図７は、この発明の実施の形態３の一例を示す構成図である。
図７において、図１と同じ符号で示した構成要素は、実施の形態１と同様である。
数量制御部（１５）は、機器管理装置（２）が接続可能な通信装置（３）の上限値と現在の接続数を記憶し、通信装置（３）との接続数を制御する。
である。図７には明記していないが、数量制御部（１５）は、機器管理装置（２）が接続可能な通信装置（３）の上限値と現在の接続数とを格納する通信装置情報テーブルを備える。
以下の説明で、数量制御部（１５）に情報を登録する動作は、具体的には通信装置情報テーブルへ登録することを意味する。
【００５９】
次に、動作について説明する。
ディレクトリ装置（４）のオペレータは、オペレータ入出力部（１０）を介して、機器管理装置（２）の名前と、管理可能な通信装置の台数とを入力する。オペレータ入出力部（１０）は、入力された機器管理装置（２）の名前と、管理可能な通信装置の台数とを数量制御部（１５）へ登録する。この操作によって、ディレクトリ装置（４）の数量制御部（１５）には、任意の機器管理装置（２）が管理可能な通信装置（３）の台数が格納される（ステップ４０１）。
なお、この実施の形態の動作（ステップ４０１〜ステップ４０４）は、図示していない。
【００６０】
図８は、数量制御部（１５）に格納された情報の一例を示しており、管理装置の名前（１０７）と管理装置が管理可能な通信装置（３）の上限数（１０８）、及び現在接続中の通信装置（３）の数（１０９）を含んでいる。
図８の例は、機器管理装置（２ｂ）が管理可能な通信装置はｎ１台、現在接続中の通信装置はｍ１台であり、機器管理装置（２ｃ）が管理可能な通信装置はｎ２台、現在接続中の通信装置はｍ２台である場合を示している。
【００６１】
ディレクトリ装置（４）のオペレータが、オペレータ入出力部（１０）を介してｍ台の通信装置（３）の登録操作を行うと、数量制御部（１５）は、機器管理装置（２ｂ）には、ｍ×ｎ１／（ｎ１＋ｎ２＋．．．）台（小数点以下１桁で四捨五入）の通信装置を割り当てる。また、数量制御部（１５）は、機器管理装置（２ｃ）には、ｍ×ｎ２／（ｎ１＋ｎ２＋．．．）台の通信装置（３）を割り当てる。その結果、数量制御部（１５）は、数量制御部（１５）の「接続中の通信装置数」（図８の１０９）に割り当て数を格納する。同数の通信装置（３）が複数の機器管理装置（２）に割り当てられた場合は、数量制御部（１５）の若い行の機器管理装置（２）から順番に通信装置（３）を関連付ける（ステップ４０２）。即ち、任意の通信装置（３）が複数の機器管理装置（２）に割り当てられた場合は、若い行の機器管理装置（２）から順番に通信装置（３）を関連付ける。
なお、上記以外のルールによって通信装置（３）を関連付けても良い。
【００６２】
数量制御部（１５）は、各機器管理装置に割り当てる通信装置の台数を決定した後、機器管理装置（２）と通信装置（３）とを関連付けて接続関係を生成する。数量制御部（１５）は、生成した接続関係をディレクトリ・サーバ（８）へ出力する。ディレクトリ・サーバ（８）は、入力した接続関係をディレクトリ情報ベース（９）に格納する。なお、機器管理装置（２）と通信装置（３）を関連付ける（接続関係を定義する）順番は、オペレータが通信装置（３）の名前を投入した順番とする（ステップ４０３）。
【００６３】
例えば、ｍ＝４、ｎ１＝２０台、ｎ２＝２０台と仮定すると、機器管理装置（２ｂ）には４×２０／（２０＋２０）＝２台、機器管理装置（２ｃ）には４×２０／（２０＋２０）＝２台の通信装置（３）が割り当てられる。
【００６４】
ｍ＝４、ｎ１＝１０台、ｎ２＝２０台と仮定すると、機器管理装置（２ｂ）には４×１０／（１０＋２０）＝４／３＝１台、機器管理装置（２ｃ）には４×２０／（１０＋２０）＝８／３＝３台の通信装置（３）が割り当てられる。
【００６５】
次に、上記の動作に続いて、ディレクトリ装置（４）のオペレータが、ｍ＋１台目の通信装置（３）を登録する場合の動作を説明する。
数量制御部（１５）は、図８に示すように、各機器管理装置（２）の管理可能数（ｎ１，ｎ２，．．．）と、現在接続している通信装置（３）の数（ｍ１，ｍ２，．．．）を保持している。
【００６６】
通信装置（３）の追加を試みるとき、ディレクトリ装置（４）のオペレータは、オペレータ入出力部（１０）を介して、ｍ＋１台目の通信装置を入力する。数量制御部（１５）は、上記のステップ４０２からステップ４０３に基づいて、各機器管理装置（２）に関連付ける通信装置（３）の数（ｍ１’，ｍ２’，．．．）を算出する。
【００６７】
ｍ１’＞ｍ１ならば、当該機器管理装置に、ｍ＋１台目の通信装置を割り当てる。ｍ１’＝ｍ１ならば、当該機器管理装置には、ｍ＋１台目の通信装置を割り当てず、ｍ２’とｍ２の比較を行う（ステップ４０４）。
【００６８】
このようにして、ｍ＋１台目の通信装置（３）を適切な機器管理装置（２）に関連付ける。また、ｎ台の通信装置を追加する場合についても同様の手続きによって、ｍ＋１〜ｍ＋ｎ台の通信装置（３）を適切な機器管理装置（２）に関連付けることができる。
【００６９】
ｍ＝４、ｎ１＝２０台、ｎ２＝２０台と仮定すると、数量制御部（１５）には、ｍ１＝２台、ｍ２＝２台という情報が格納されている。この時、ｍ＋１＝５台目の通信装置（３）を登録すると、機器管理装置（２ｂ）の新しい割当て数ｍ１’は、５×２０／（２０＋２０）＝５／２＝３台、機器管理装置（２ｃ）の新しい割当て数ｍ２’は、５×２０／（２０＋２０）＝２／５＝３台となる。
従って、ｍ１’＞ｍ１，ｍ２’＞ｍ２なので、ｍ＋１番目の通信装置（３）は、機器管理装置（２ｂ）に関連付けても、機器管理装置（２ｃ）に関連付けても良いが、数量制御部（１５）の若い行に登録されている機器管理装置（２ｂ）に関連付けられる。
【００７０】
ｍ＝４、ｎ１＝１０台、ｎ２＝２０台と仮定すると、数量制御部（１５）には、ｍ１＝１台、ｍ２＝３台という情報が格納されている。この時、ｍ＋１＝５台目の通信装置（３）を登録すると、機器管理装置（２ｂ）にはｍ１’＝５×１０／（１０＋２０）＝５／３＝２台、機器管理装置（２ｃ）にはｍ２’＝５×２０／（１０＋２０）＝１０／３＝３台の通信装置（３）が関連付けられる。
従って、ｍ１’＞ｍ１であるから、ｍ＋１番目の通信装置（３）は、機器管理装置（２ｂ）に関連付けられる。
【００７１】
また、接続の数を計算した結果、配分されない通信装置が発生した場合の措置について以下に説明する。
接続の数を計算した結果、配分されない通信装置が発生するのは、次の場合が考えらる。
（Ａ）ｍ＞（ｎ１＋ｎ２＋．．．）の場合。
（Ｂ）ｍ＝＜（ｎ１＋ｎ２＋．．．）であるが、四捨五入の結果、割当てられなかった場合。
【００７２】
上記（Ａ）の場合は、オペレータに対応を要求することが必要となる。従って、ディレクトリ装置（４）の数量制御部（１５）は、オペレータ入出力部（１０）を介して、オペレータに「通信装置の数が接続可能台数を超過した」というメッセージを表示する。オペレータは、メッセージに基づいて対応する。
上記（Ｂ）の場合は、ディレクトリ装置（４）の数量制御部（１５）に登録されている機器管理装置（２）を若い行から検索していき、ｍ１＜ｎ１の条件を満足する最初の機器管理装置（２）に、通信装置（３）を割り当てる。
【００７３】
このように、数量制御部（１５）が、機器管理装置（２）の接続能力に応じて均等に通信装置（３）を関連付ける（接続関係を定義する）ので、機器管理装置（２）全体の監視・制御能力を最大の効率で使用することができる。
【００７４】
以上のように、この実施の形態のネットワーク管理システムは、実施の形態１又は実施の形態２のネットワーク管理システムに加え、ディレクトリ装置（４）に、機器管理装置（２）が接続可能な通信装置（３）の上限値と現在の接続数を記憶し、通信装置（３）との接続数を制御する数量制御部（１５）を備えることを特徴とする。
【００７５】
実施の形態４．
図９は、この発明の実施の形態４の一例を示す構成図である。
図において、図７と同じ符号の構成要素は、実施の形態３と同様である。
エリア制御部（１６）は、機器管理装置（２）と通信装置（３）の所在地を比較し、機器管理装置（２）と通信装置（３）とを関連付ける。
【００７６】
ディレクトリ情報ベース（９）に格納される情報は、図１０に一例として示すように、機器管理装置（２）の名前またはアドレス（１０１）と、機器管理装置の所在地（１１０）、通信装置の名前またはアドレス（１０２）、及び通信装置の所在地（１１１）である。
機器管理装置の所在地（１１０）と通信装置の所在地（１１１）は、「東京」などの文字列でも良いし、“０３”等のコード数字でも良い。
【００７７】
次に、動作について説明する。
ディレクトリ装置（４）のオペレータは、オペレータ入出力部（１０）を介して、通信装置のアドレスと所在地を入力する。オペレータ入出力部（１０）は、入力された通信装置（３）のアドレスと所在地とをディレクトリ情報ベース（９）へ登録する。
【００７８】
エリア制御部（１６）は、数量制御部（１５）を使って、各機器管理装置（２）に割当て可能な通信装置（３）の台数を算出する。
【００７９】
次に、エリア制御部（１６）は、ディレクトリ情報ベース（９）に格納された通信装置のアドレスと所在地をに基づいて、同一エリアに所属する機器管理装置（２）と通信装置（３）を優先的に関連付け、接続関係を生成する。数量制御部（１５）を介してディレクトリ・サーバ（８）へ出力する。ディレクトリ・サーバ（８）は、入力した接続関係をディレクトリ情報ベース（９）に格納する。
【００８０】
このように、ディレクトリ装置（１４）にエリア制御部（１６）を配置することによって、機器管理装置（２）と通信装置（３）の所在地を比較し、同一所在地の機器管理装置（２）と通信装置（３）を優先的に関連付けるので、機器管理装置（２）と通信装置（３）とを地理的に最適な配置にすることができる。
【００８１】
以上のように、この実施の形態のネットワーク管理システムは、実施の形態３のネットワーク管理システムに加え、ディレクトリ装置（４）に、機器管理装置（２）と通信装置（３）の所在地を比較し関連付けるエリア制御部（１６）を備えることを特徴とする。
【００８２】
実施の形態５．
図１１は、この発明の実施の形態５の一例を示す構成図である。
図において、図７と同じ符号の構成要素は、実施の形態３と同様である。
通信路制御部（１７）は、機器管理装置（２）と通信装置（３）間の通信路を制御する。
図１１の例では、機器管理装置（２ｂ）、機器管理装置（２ｃ）それぞれは、通信路制御部（１７ｂ）、通信路制御部（１７ｃ）を備える。
【００８３】
次に、動作について説明する。
図１２は、実施の形態５における動作シーケンスの一例を示す図である。
図１２を用いて、ディレクトリ装置（４）の情報に基いて、機器管理装置（２）が通信装置（３）との通信路を設定する動作について説明する。
【００８４】
ディレクトリ装置（４）に備えられたディレクトリ情報ベース（９）は、予め機器管理装置（２）と通信装置（３）とを関連付けた接続関係（接続関係情報）を格納していることを前提とする（ステップ５０１）。
【００８５】
機器管理装置（２ｂ）は、起動時にディレクトリ・クライアント（１１ｂ）を使って、ディレクトリ装置（４）のディレクトリ・サーバ（８）に通信装置（３）のリストの収集を要求する（ステップ５０２）。ディレクトリ・サーバ（８）は、ディレクトリ情報ベース（９）を検索して、機器管理装置（２ｂ）に関連付けられた通信装置（３ｄ，３ｅ，．．．）の名前またはアドレスのリストを取得する。ディレクトリ・サーバ（８）は、取得した通信装置（３ｄ，３ｅ，．．．）の名前またはアドレスのリストをディレクトリ・クライアント（１１ｂ）へ送信する（ステップ５０３）。
【００８６】
機器管理装置（２ｂ）のディレクトリ・クライアント（１１ｂ）は、通信装置（３ｄ，３ｅ，．．．）の名前またはアドレスのリストを受信し、受信した通信装置（３ｄ，３ｅ，．．．）の名前またはアドレスのリストを通信路制御部（１７ｂ）に渡す。このリストに基づいて、通信路制御部（１７ｂ）は、機器管理マネージャ（５ｂ）に、通信装置（３ｄ，３ｅ，．．．）との通信路を設定させる（ステップ５０４〜ステップ５０６）。機器管理マネージャ（５ｂ）は、通信装置（３ｄ，３ｅ，．．．）の監視・制御を開始する（ステップ５０７）。
【００８７】
上記のように、この実施の形態では、機器管理装置（２）に通信路制御部（１７）を配置した。通信路制御部（１７）は、ディレクトリ・クライアント（１１）を使って通信装置（３）のリストを取得する。通信路制御部（１７）は、通信路の設定の監視・制御を指示する。指示を受けたマネージャ（５）は、通信装置（３）との通信路を設定し、次に、監視・制御をする。
このようにして、機器管理装置（２）のオペレータの作業を軽減することができる。
【００８８】
以上のように、この実施の形態のネットワーク管理システムは、実施の形態３のネットワーク管理システムに加え、機器管理装置（２）に、機器管理装置（２）と通信装置（３）間の通信路を制御する通信路制御部を備えることを特徴とする。
【００８９】
実施の形態６．
図１３は、この発明の別の実施の形態６の一例を示す構成図である。
図において、図１１と同じ符号の構成要素は、実施の形態５と同様である。
認証制御部（１８）は、通信装置（３）の認証情報をディレクトリ装置から取得する。
【００９０】
次に、動作について説明する。
図１４は、この実施の形態６における動作シーケンスの一例を示す図である。
図１４を用いて、ディレクトリ装置に格納される認証情報に基づいて、機器管理装置（２）が通信装置（３）に通信路を設定する動作について説明する。
【００９１】
実施の形態６において、ディレクトリ情報ベース（９）に格納される情報は、図１５に一例として示すように、機器管理装置（２）の名前またはアドレス（１０１）と、通信装置（３）の名前またはアドレス（１０２）、及び通信装置（３）のログイン情報（１１２）である。
ログイン情報（１１２）は、通信装置（３）のログイン名（文字列）とパスワード（文字列）の組である。
ディレクトリ装置（４）に備えられたディレクトリ情報ベース（９）は、予め機器管理装置（２）と通信装置（３）とを関連付けた接続関係を格納していることを前提とする（ステップ６０１）。
【００９２】
機器管理装置（２ｂ）は、起動時にディレクトリ・クライアント（１１ｂ）を使って、ディレクトリ装置（４）のディレクトリ・サーバ（８）に通信装置（３）のリストの収集を要求する（ステップ６０２）。ディレクトリ・サーバ（８）は、ディレクトリ情報ベース（９）を検索して、機器管理装置（２ｂ）に関連付けられた通信装置（３ｄ，３ｅ，．．．）の名前またはアドレスと、ログイン情報のリストを取得する。ディレクトリ・サーバ（８）は、取得した通信装置（３ｄ，３ｅ，．．．）の名前またはアドレスと、ログイン情報のリストへ送信する。
【００９３】
機器管理装置（２ｂ）のディレクトリ・クライアント（１１ｂ）は、ディレクトリ・サーバ（８）を受信し、受信した通信装置（３ｄ，３ｅ，．．．）の名前またはアドレスとログイン情報のリストを認証制御部（１８ｂ）に渡す。このリストに基づいて、認証制御部（１８ｂ）は、通信装置（３ｄ，３ｅ，．．．）の名前またはアドレスとログイン情報のリストを通信路制御部（１７ｂ）へ渡す。通信路制御部（１７ｂ）は、機器管理マネージャ（５ｂ）に機器管理装置（２ｂ）と通信装置（３ｄ，３ｅ，．．．）との通信路を設定させる。次に、機器管理マネージャ（５ｂ）は、通信装置（３ｄ，３ｅ，．．．）の監視・制御を開始する。
このようにして、実施の形態５と同様に、機器管理装置（２）のオペレータの作業を軽減することができる。
【００９４】
以上のように、この実施の形態のネットワーク管理システムは、実施の形態５のネットワーク管理システムに加え、機器管理装置（２）に、通信装置（３）の認証情報をディレクトリ装置（４）から取得する認証制御部（１８）を備えることを特徴とする。
【００９５】
実施の形態７．
図１６は、この発明の実施の形態７の一例を示す構成図である。
図において、図１と同じ符号の構成要素は、実施の形態１と同様である。
認証情報ベース（１９）は、ネットワーク管理装置（１）の認証情報を格納する。
【００９６】
次に、動作について説明する。
図１７，図１８は、実施の形態７における動作シーケンスの一例を示す図である。
図を用いて、機器管理装置（２）がネットワーク管理装置（１）を認証する動作について説明する。以下では、ネットワーク管理装置（１）が機器管理装置（２ｂ）にアクセスする場合を一例として説明する。アクセスとして、通信装置（３ｆ）の管理情報の収集を要求する場合（管理情報収集要求）を一例とする。
【００９７】
ネットワーク管理装置（１）が機器管理装置（２ｂ）にアクセスする（ステップ７０１）。具体的には、ネットワーク管理装置（１）は、機器管理装置（２ｂ）へ通信装置（３ｆ）の管理情報収集要求を送信する。管理情報収集要求は、実施の形態１と同様に、ネットワーク管理装置（１）によって生成される。機器管理装置（２ｂ）の機器管理エージェント（６ｂ）は、通信装置（３ｆ）の管理情報収集要求を受信する。機器管理エージェント（６ｂ）は、受信した通信装置（３ｆ）の管理情報収集要求に基づいて認証要求メッセージの発行をディレクトリ・クライアント（１１ｂ）へ指示する。ディレクトリ・クライアント（１１ｂ）は、認証要求メッセージを発行し、ディレクトリ装置（４）へ送信する（ステップ７０２）。
この認証要求メッセージには、ネットワーク管理装置（１）のアドレスとオペレータ名、及びパスワードが含まれている。
【００９８】
ディレクトリ装置（４）のディレクトリ・サーバ（８）は、認証要求メッセージを受信し、受信した認証要求メッセージと、予め認証情報ベース（１９）に格納されているネットワーク管理装置（１）のアドレスと、オペレータ名、及びパスワードとを照合する。次に、ディレクトリ・サーバ（８）は、照合した結果に基づいて認証に合格しているか否かを判定する（ステップ７０３）。次に、ディレクトリ・サーバ（８）は、判定した結果に基づいて認証応答メッセージを生成し、生成した認証応答メッセージを機器管理装置（２ｂ）のディレクトリ・クライアント（１１ｂ）に返送する（ステップ７０４）。
【００９９】
ディレクトリ・クライアント（１１ｂ）は、受信した認証応答メッセージを判定する（ステップ７０５）。
認証応答メッセージが認証合格の場合は、機器管理装置（２ｂ）は、ネットワーク管理装置（１）からの操作を受け付ける。従って、機器管理装置（２ｂ）は、図１８に示すステップ７０６〜ステップ７１２の処理を実施する。上記処理は、実施の形態１と同様である。
認証応答メッセージが不合格の場合は、機器管理装置（２ｂ）は、ネットワーク管理装置（１）からの操作を受け付けない。
【０１００】
このように、ディレクトリ装置（８）に認証情報ベース（１９）を配置し、ディレクトリ装置（８）は、認証情報ベース（１９）に基づいてネットワーク管理装置（１）と、ネットワーク管理装置（１）を利用するオペレータとを認証するので、機器管理装置（２）の不正利用を防止することができる。
【０１０１】
以上のように、この実施の形態のネットワーク管理システムは、実施の形態１又は実施の形態２のネットワーク管理システムに加え、ディレクトリ装置（４）に、ネットワーク管理装置（１）の認証情報を格納する認証情報ベース（１９）を備えることを特徴とする。
【０１０２】
実施の形態８．
図１９は、この発明の実施の形態８の一例を示す構成図である。
図において、図１１と同じ符号の構成要素は、実施の形態５と同様である。
負荷制御部（２０）は、機器管理装置（２）の負荷状態を収集し、収集した負荷状態を用いて適切な負荷配分を実行する。負荷制御部（２０）は、各機器管理装置（２）から負荷状態を収集し、収集した負荷状態を保持する。また、負荷制御部（２０）は、収集する負荷状態に対応する閾値を保持する。
負荷監視部（２１）は、機器管理装置（２）のＣＰＵ使用率を監視する。
図１９の例では、機器管理装置（２ｂ）は、負荷監視部（２１ｂ）を備え、機器管理装置（２ｃ）は、負荷監視部（２１ｃ）を備える。
【０１０３】
次に、動作について説明する。
図２０，図２１は、この実施の形態８における動作シーケンスの一例を示す図である。
図を用いて、機器管理装置（２）がディレクトリ装置（４）に負荷状態を報告して、機器管理装置（２）と通信装置（３）との接続関係を再構築する動作について説明する。
【０１０４】
以下の説明では、負荷状態の一例としてＣＰＵ使用率を用いて説明する。
ディレクトリ装置（４）の負荷制御部（２０）は、各機器管理装置（２）の過去ｋ（ｋは、任意の整数）件のＣＰＵ使用率と、ＣＰＵ使用率の閾値を保持している。
【０１０５】
機器管理装置（２ｂ）の負荷監視部（２１ｂ）は、定期的（例えば１分毎）に機器管理装置（２ｂ）のＣＰＵ使用率を計測し、計測したＣＰＵ使用率をディレクトリ・クライアント（１１ｂ）を介して、ディレクトリ装置（４）のディレクトリ・サーバ（８）に送信する（ステップ８０１）。
機器管理装置（２ｃ）、その他の機器管理装置においても、同様の動作を実施する。
【０１０６】
ディレクトリ・サーバ（８）は、受信した各機器管理装置（２ｂ，２ｃ，．．．）のＣＰＵ使用率を負荷制御部（２０）に出力する。
負荷制御部（２０）は、入力したＣＰＵ使用率を解析する（ステップ８０２）。解析した結果、ある機器管理装置（２ｂ）のＣＰＵ負荷率がｋ（ｋは、任意の整数）回連続して閾値を上回っている場合は、負荷制御部（２０）は、数量制御部（１５）にアクセスして、接続できる通信装置の上限値（ｎ）が現在接続中の通信装置の数（ｍ）を超えている機器管理装置（２）のアドレスを調査し、調査した結果を負荷制御部（２０）へ通知する。数量制御部（１５）は、接続できる通信装置の上限値（ｎ）＞現在接続中の通信装置の数（ｍ）となっている機器管理装置（２）のアドレスを調査し、調査した結果を負荷制御部（２０）へ通知する（ステップ８０３）。
【０１０７】
もし、ｎ＞ｍとなる機器管理装置（２）が存在しない場合は、この動作は終了し、何もしない。
【０１０８】
もし、ｎ＞ｍとなる機器管理装置（２）が存在する場合は、負荷制御部（２０）は、機器管理装置（２ｂ）に関連付けられている通信装置（３）（例えば、通信装置（３ｅ））を１台切り離し、ｎ＞ｍとなる機器関連装置（２）に関連付けて新たな接続関係を生成し、ディレクトリ・サーバ（８）を介して、生成した新たな接続関係をディレクトリ情報ベース（９）に登録する（ステップ８０４）。
【０１０９】
次に、負荷制御部（２０）は、ディレクトリ・サーバ（８）を介して、機器管理装置（２ｂ）のディレクトリ・クライアント（１１ｂ）に、通信装置（３ｅ）との通信路の解放要求を送信する（ステップ８０５）。
ディレクトリ・クライアント（１１ｂ）は、通信路制御部（１７ｂ）へ通信装置（３ｅ）との通信路を解放することを指示する。通信路制御部（１７ｂ）は、上記指示を機器管理マネージャ（５ｂ）へ伝える。機器管理マネージャ（５ｂ）は、機器管理装置（２ｂ）と通信装置（３ｅ）との通信路を解放する要求を機器管理装置（２ｂ）と通信装置（３ｅ）とへ送信する（ステップ８０６）。
【０１１０】
通信装置（３ｅ）は、機器管理装置（２ｂ）と通信装置（３ｅ）との通信路の解放要求を機器管理マネージャ（５ｂ）から受信し、受信した解放要求に基づいて通信路を解放する。次に、通信装置（３ｅ）は、通信路を解放したことを機器管理装置（２ｂ）へ送信する（ステップ８０７、解放応答）。
ディレクトリ・クライアント（１１ｂ）は、通信装置（３ｅ）から解放応答を受信すると、ディレクトリ・サーバ（８）に通信路の解放応答を送信する（ステップ８０８）。
ディレクトリ・サーバ（８）は、負荷制御部（２０）に、機器管理装置（２ｂ）と通信装置（３ｅ）間の通信路が解放されたことを知らせる。
【０１１１】
次に、負荷制御部（２０）は、通信装置（３ｅ）との通信路の設定要求をディレクトリ・サーバ（８）を介して、機器管理装置（２ｃ）のディレクトリ・クライアント（１１ｃ）へ送信する（ステップ８０９）。
ディレクトリ・クライアント（１１ｃ）は、機器管理装置（２ｃ）と通信装置（３ｅ）との通信路を設定することを通信制御部（１７ｃ）へ指示する。通信制御部（１７ｃ）は、機器管理マネージャ（５ｃ）へ、上記指示を伝える。
機器管理マネージャ（５ｃ）は、機器管理装置（２ｃ）と通信装置（３ｅ）との通信路を設定する要求を通信装置（３ｅ）へ送信する（ステップ８１０）。
【０１１２】
通信装置（３ｅ）は、機器管理装置（２ｂ）と通信装置（３ｅ）との通信路の設定要求を機器管理マネージャ（５ｃ）から受信し、受信した設定要求に基づいて通信路を設定する。次に、通信装置（３ｅ）は、通信路を設定したことを機器管理装置（２ｃ）へ送信する（ステップ８１１）。
ディレクトリ・クライアント（１１ｃ）は、通信路を設定すると、通信路の設定応答をディレクトリ・サーバ（８）に送信する（ステップ８１２）。
ディレクトリ・サーバ（８）は、負荷制御部（２０）に、機器管理装置（２ｃ）と通信装置（３ｅ）間の通信路が設定されたことを知らせる。
【０１１３】
このように、ディレクトリ装置（８）に負荷制御部（２０）を配置すると共に、機器管理装置（２）に負荷監視部（２１）を配置することによって、負荷制御部（２０）は、負荷監視部（２１）を使って各機器管理装置（２）の負荷を把握し、負荷が偏らないように、機器管理装置（２）と通信装置（３）との接続関係を動的に設定するのことができる。従って、ネットワーク管理システムは、監視・制御の高速化と効率化を図ることができる。
【０１１４】
以上のように、この実施の形態のネットワーク管理システムは、実施の形態５のネットワーク管理システムに加え、ディレクトリ装置（４）に、機器管理装置（２）の負荷を収集し、適切な負荷配分を実行する負荷制御部（２０）を備え、機器管理装置（２）に、機器管理装置（２）のＣＰＵ使用率を監視する負荷監視部（２１）を備えることを特徴とする。
【０１１５】
実施の形態９．
図２２は、この発明の実施の形態９の一例を示す構成図である。
図において、図１９と同じ符号で示した構成要素は、実施の形態８と同様である。
警報発生部（２２）は、機器管理装置（２）の負荷状態を監視して、予め決まった条件を満たしたときに警報を発生する。機器管理装置（２ｂ）は、警報発生部（２２ｂ）を備え、機器管理装置（２ｃ）は、警報発生部（２２ｃ）を備える。
【０１１６】
次に、動作について説明する。
図２３，図２４は、実施の形態９における動作シーケンスの一例を示す図である。
図を用いて、機器管理装置（２ｂ）が高負荷警報を発生し、機器管理装置（２ｂ）と通信装置（３ｅ）とを関連付ける接続関係を機器管理装置（２ｃ）と通信装置（３ｅ）とが関連付けられる接続関係へ切り替える動作について説明する。
【０１１７】
機器管理装置（２ｂ）の負荷監視部（２１ｂ）は、定期的（例えば、１分毎）に機器管理装置（２ｂ）のＣＰＵ使用率を計測し、計測したＣＰＵ使用率を警報発生部（２２ｂ）に通知する。機器管理装置（２ｃ）等、他の機器管理装置においても、同様の動作を実施する。
【０１１８】
警報発生部（２２ｂ，２２ｃ，．．．）は、各機器管理装置（２ｂ，２ｃ，．．．）のＣＰＵ使用率を過去ｊ件分保持する。ＣＰＵ負荷率がｋ（ｋは、任意の整数）回連続して閾値を上回っている場合は、警報発生部（２２）（警報発生部２２ｂ，２２ｃ，．．．のいずれか）は、ディレクトリ・クライアント（１１ｂ，１１ｃ，．．．）を介して、ディレクトリ・サーバ（８）に高負荷警報を送信する（ステップ９０１）。
【０１１９】
高負荷警報を受信したディレクトリ・サーバ（８）は、数量制御部（１５）にアクセスして、接続できる通信装置の上限値（ｎ）が現在接続中の通信装置の数（ｍ）を超えている機器管理装置（２）のアドレスを調査することを指示する。数量制御部（１５）は、接続できる通信装置の上限値（ｎ）＞現在接続中の通信装置の数（ｍ）となっている機器管理装置（２）のアドレスを調査し、調査した結果をディレクトリ・サーバ（８）へ通知する（ステップ９０２）。
【０１２０】
もし、ｎ＞ｍとなる機器管理装置（２）が存在しない場合は、この動作は終了し、何もしない。
【０１２１】
もし、ｎ＞ｍとなる機器管理装置（２）が存在する場合は、負荷制御部（２０）は、機器管理装置（２ｂ）に関連付けられている通信装置（３）（例えば、通信装置（３ｅ））を１台切り離し、ｎ＞ｍとなる機器関連装置（２）に関連付けて新たな接続関係を生成し、ディレクトリ・サーバ（８）を介して、生成した新たな接続関係をディレクトリ情報ベース（９）に登録する（ステップ９０３）。
【０１２２】
次に、負荷制御部（２０）は、ディレクトリ・サーバ（８）を介して、機器管理装置（２ｂ）のディレクトリ・クライアント（１１ｂ）に、通信装置（３ｅ）との通信路の解放要求を送信する（ステップ９０４）。
ディレクトリ・クライアント（１１ｂ）は、機器管理装置（２ｂ）と通信装置（３ｅ）との通信路を解放することを通信制御部（１７ｂ）へ指示する。通信制御部（１７ｂ）は、機器管理マネージャ（５ｂ）へ上記指示を伝える。機器管理マネージャ（５ｂ）は、機器管理装置（２ｂ）と通信装置（３ｅ）との通信路を解放する要求を通信装置（３ｅ）へ送信する（ステップ９０５）。
【０１２３】
通信装置（３ｅ）は、機器管理装置（２ｂ）と通信装置（３ｅ）との通信路の解放要求を機器管理マネージャ（５ｂ）から受信し、受信した解放要求に基づいて通信路を解放する。次に、通信装置（３ｅ）は、通信路を解放したことを機器管理装置（２ｂ）へ送信する（ステップ９０６、解放応答）。
ディレクトリ・クライアント（１１ｂ）は、通信装置（３ｅ）から解放応答を受信すると、通信路の解放応答をディレクトリ・サーバ（８）に送信する（ステップ９０７）。
ディレクトリ・サーバ（８）は、機器管理装置（２ｂ）と通信装置（３ｅ）間の通信路が解放されたことを負荷制御部（２０）へ知らせる。
【０１２４】
次に、負荷制御部（２０）は、ディレクトリ・サーバ（８）を介して、機器管理装置（２ｃ）のディレクトリ・クライアント（１１ｃ）に、通信装置（３ｅ）との通信路の設定要求を送信する（ステップ９０８）。
通信装置（３ｅ）は、機器管理装置（２ｂ）と通信装置（３ｅ）との通信路の設定要求を機器管理マネージャ（５ｃ）から受信し、受信した設定要求に基づいて通信路を設定する。次に、通信装置（３ｅ）は、通信路を設定したことを機器管理装置（２ｃ）へ送信する（ステップ９１０）。
ディレクトリ・クライアント（１１ｃ）は、機器管理装置（２ｃ）と通信装置（３ｅ）との通信路を設定することを通信路制御部（１７ｃ）へ指示する。通信路制御部（１７ｃ）は、機器管理マネージャ（５ｃ）へ上記指示を伝える。
【０１２５】
機器管理マネージャ（５ｃ）は、機器管理装置（２ｃ）と通信装置（３ｅ）との通信路を設定する要求を通信装置（３ｅ）へ送信する（ステップ９０９）。
ディレクトリ・クライアント（１１ｃ）は、通信路を設定すると、通信路の設定応答をディレクトリ・サーバ（８）に送信する（ステップ９１１）。
ディレクトリ・サーバ（８）は、機器管理装置（２ｃ）と通信装置（３ｅ）間の通信路が設定されたことを負荷制御部（２０）へ知らせる。
【０１２６】
このように、この実施の形態では、ディレクトリ装置（８）に負荷制御部（２０）を配置すると共に、機器管理装置（２）に負荷監視部（２１）と警報発生部（２２）とを配置した。従って、負荷制御部（２０）は、負荷監視部（２１）と警報発生部（２２）とを使って、機器管理装置が高負荷の場合に、負荷が偏らないように、機器管理装置と通信装置の接続関係を動的に設定することができる。このようにして、ネットワーク管理システムは、監視・制御の高速化と効率化を図ることができる。
【０１２７】
以上のように、この実施の形態のネットワーク管理システムは、実施の形態８のネットワーク管理システムに加え、機器管理装置（２）に、機器管理装置（２）の負荷状態を監視して、予め決まった条件を満たしたときに警報を発生する警報発生部（２２）を備えることを特徴とする。
【０１２８】
【発明の効果】
この発明のネットワーク管理システム及びネットワーク管理方法によれば、機器管理装置と通信装置との接続関係を機器管理装置と独立して管理することにより、機器管理装置の負荷を減少させることができる。
【０１２９】
また、この発明によれば、ネットワーク管理装置は、機器管理装置と通信装置との接続関係を考慮することなく、通信装置の管理情報を取得することができる。
【０１３０】
この発明によれば、複数の機器管理装置と複数の通信装置との接続関係を、ディレクトリ装置で一元管理することができる。
【０１３１】
入力部を備えることにより、オペレータが入力部を用いて、接続関係を入力することができる。
【０１３２】
関係登録部を備えることにより、接続関係を自動的に調査し、調査した結果をディレクトリ情報ベースへ格納することができるため、接続関係の登録・更新の効率化を図ることができる。
【０１３３】
数量制御部を備えることにより、機器管理装置の能力、現在の接続状態等を考慮して、機器管理装置に接続する通信装置を定義することができる。
【０１３４】
さらに、数量制御部は、エリア情報に基づいて、より的確な接続関係を定義することができる。
【０１３５】
通信路制御部を備えることにより、接続関係に基づいて、通信を確立することができるため、通信路の設定・更新が効率化される。
【０１３６】
さらに、認証情報に基づいて、通信装置、ネットワーク管理装置を認証できるため、安全性を確保することができる。
【０１３７】
負荷監視部を備えることにより、機器管理装置内の負荷情報に基づいて、接続関係を定義することができるため、システムの効率的な運用が図れる。
【０１３８】
警報発生部を備えることにより、機器管理装置内の状況を外部に通知することができる。
【図面の簡単な説明】
【図１】  この発明の実施の形態１の一例を示す構成図。
【図２】  ディレクトリ情報ベース（９）に格納される機器管理装置（２）と通信装置（３）との接続関係の一例を表す図。
【図３】  機器管理装置の管理履歴ベースに格納される履歴情報の一例を示す図。
【図４】  実施の形態１の動作シーケンスの一例を示す図。
【図５】  この発明の実施の形態２の一例を示す構成図。
【図６】  実施の形態２における動作シーケンスの一例を示す図。
【図７】  この発明の実施の形態３の一例を示す構成図。
【図８】  数量制御部（１５）に格納された情報の一例を示した図。
【図９】  この発明の実施の形態４の一例を示す構成図。
【図１０】  ディレクトリ情報ベース（９）に格納される情報の一例を示した図。
【図１１】  この発明の実施の形態５の一例を示す構成図。
【図１２】  実施の形態５における動作シーケンスの一例を示す図。
【図１３】  この発明の実施の形態６の一例を示す構成図。
【図１４】  実施の形態６における動作シーケンスの一例を示す図。
【図１５】  実施の形態６においてディレクトリ情報ベース（９）に格納される情報の一例を表す図。
【図１６】  この発明の実施の形態７の一例を示す構成図。
【図１７】  実施の形態７における動作シーケンスを示す図。
【図１８】  実施の形態７における動作シーケンスを示す図。
【図１９】  この発明の実施の形態８の一例を示す構成図。
【図２０】  実施の形態８における動作シーケンスの一例を示す図。
【図２１】  実施の形態８における動作シーケンスの一例を示す図。
【図２２】  この発明の実施の形態９の一例を示す構成図。
【図２３】  実施の形態９における動作シーケンスの一例を示す図。
【図２４】  実施の形態９における動作シーケンスの一例を示す図。
【図２５】  従来のネットワーク管理モデルの一例を示す図。
【符号の説明】
１，１ｐ  ネットワーク管理装置、２，２ｂ，２ｃ  機器管理装置、３，３ｄ〜３ｇ  通信装置、４  ディレクトリ装置、５，５ｂ，５ｃ  機器管理マネージャ、６  機器管理エージェント、７  機器管理情報ベース、８  ディレクトリ・サーバ、９  ディレクトリ情報ベース、１０  ディレクトリ・クライアント、１２  管理履歴情報ベース、１３  伝送路、１４  関係登録部、１５  数量制御部、１６  エリア制御部、１７  通信路制御部、１８  認証制御部、１９  認証情報ベース、２０  負荷制御部、２１  負荷監視部、２２  警報発生部、３６，３６ｄ〜３６ｇ  通信エージェント、３７，３７ｄ〜３７ｇ  通信管理情報ベース、５０  ネットワーク管理マネージャ、２１０  ネットワーク管理装置、２１１マネージャＡ、２２０  機器管理装置、２２１  エージェントＢ、２２２  管理情報ベースＢ、２２３  マネージャＢ、２３０ａ〜２３０ｃ  通信装置、２３１ａ〜２３１ｃ  エージェントＣ、２３２ａ〜２３２ｃ  管理情報ベースＣ。
【図１】
0004408002.tif 000002
【図２】
0004408002.tif 000003
【図３】
0004408002.tif 000004
【図４】
0004408002.tif 000005
【図５】
0004408002.tif 000006
【図６】
0004408002.tif 000007
【図７】
0004408002.tif 000008
【図８】
0004408002.tif 000009
【図９】
0004408002.tif 000010
【図１０】
0004408002.tif 000011
【図１１】
0004408002.tif 000012
【図１２】
0004408002.tif 000013
【図１３】
0004408002.tif 000014
【図１４】
0004408002.tif 000015
【図１５】
0004408002.tif 000016
【図１６】
0004408002.tif 000017
【図１７】
0004408002.tif 000018
【図１８】
0004408002.tif 000019
【図１９】
0004408002.tif 000020
【図２０】
0004408002.tif 000021
【図２１】
0004408002.tif 000022
【図２２】
0004408002.tif 000023
【図２３】
0004408002.tif 000024
【図２４】
0004408002.tif 000025
【図２５】
0004408002.tif 000026